(57)【要約】      （修正有）【課題】落下衝撃等による不意の抜け出しを確実に防止し、且つ、簡易な構造で容易に引出し可能な電子機器のトレイ式引き出し部構造の提供。【解決手段】トレイ３は、トレイ本体の引出側端部に移動可能に接合され、所定の挿入位置においてトレイ挿入口２を閉鎖する前縁蓋体２０を備え、前縁蓋体２０に、トレイ厚み方向の片面より突出した回動軸用突部２１と、所定の挿入位置においてトレイ挿入口２の内縁部に当て止めされて前縁蓋体２０のトレイ幅方向の移動を規制する横移動規制部２２とを備え、トレイ挿入口２の内側部に、回動軸用突部２１が回動可能且つ引き出し方向の移動を規制された状態で嵌め込まれる軸受凹部１２と、軸受凹部１２の側部に軸受凹部１２と連通配置に形成され、筐体外側面側に開口した軸引き出し路とが形成されてなる電子機器の引き出し部構造。【選択図】図１０
2014007094.tif 000002
【特許請求の範囲】
【請求項１】
電子機器の筐体外側面部に開口したトレイ挿入口を通して前記電子機器内に引き出し可能に挿入されるトレイを備えてなる電子機器のトレイ式引き出し部構造において、
前記トレイは、トレイ本体の引き出し方向端部に移動可能に接合され、所定の挿入位置において前記トレイ挿入口を閉鎖する前縁蓋体を備え、該前縁蓋体に、トレイ厚み方向の片面又は両面より突出した回動軸用突部と、前記所定の挿入位置において前記トレイ挿入口の内縁部に当て止めされて前記前縁蓋体のトレイ幅方向の移動を規制する横移動規制部とを備え、
前記トレイ挿入口の内側部に、前記回動軸用突部が回動可能且つ引き出し方向の移動を規制された状態で嵌め込まれる軸受凹部と、該軸受凹部の側部に該軸受凹部と連通配置に形成され、前記筐体外側面側に開口した軸引き出し路とが形成され、
前記前縁蓋体の一方の側部を押し込み、前記回動軸用突部を中心に前記前縁蓋体を回動させることにより前記横移動規制部を前記トレイ挿入口内縁部より離脱させ、前記前縁蓋体を軸引き出し路側に移動させて前記回動軸用突部を前記軸引き出し路内に移動させることにより前記トレイを前記所定の挿入位置より引き出せるようにしたことを特徴としてなる電子機器の引き出し部構造。
【請求項２】
前記前縁蓋体は、一方の側部に前記所定の挿入位置において前記トレイ挿入口縁部と互いに係合するロック片を備え、前記前縁蓋体の引き出し方向の移動及び前記回動とは逆方向の回動を規制するようにした請求項１に記載の電子機器のトレイ式引き出し部構造。
【請求項３】
前記横移動規制部は、前記トレイ挿入口の内縁部と互いに係合する係止突部を備えた請求項１又は２に記載の電子機器のトレイ式引き出し部構造。
【請求項４】
前記トレイ本体の接合端部に他方側に向けて開口した接合凹部を備えるとともに、前記前縁蓋体の接合端部に前記接合凹部内に挿入される接合凸部を備え、前記接合凹部の互いに対向する内側面間に架け渡した状態に棒状の接合軸材を支持させ、前記接合凸部に形成されたトレイ挿抜方向に向けた長孔状の移動用中空部に前記接合軸材を挿入し、前記前縁蓋体をトレイ本体に移動可能に接合させてなる請求項１、２又は３に記載の電子機器のトレイ式引き出し部構造。
【請求項５】
前記トレイ本体に反力を取って前記前縁蓋体を軸引き出し路側に付勢する付勢手段を備えた請求項１〜３又は４に記載の電子機器のトレイ式引き出し部構造。
【請求項６】
前記前縁蓋体に前記付勢手段の一端が当接される受け面部を備え、該受け面部が前記回動方向に合わせて傾けた形状に形成されてなる請求項５に記載の電子機器のトレイ式引き出し部構造。
【発明の詳細な説明】
【技術分野】
【０００１】
本発明は、携帯電話機やスマートフォン、その他の電子機器内に主にメモリーカード等の外部記憶媒体を出し入れするための電子機器のトレイ式引出し部構造に関する。
【背景技術】
【０００２】
携帯電話機やスマートフォン等の電子機器には、電子機器筐体の外側より引き出し可能なトレイを備え、引き出したトレイにＩＣカードやフラッシュメモリーカード等の外部記憶媒体を収容させ、それを電子機器内に挿入することにより当該外部記憶媒体を電子機器内に装備されたカードコネクタ等に接続させるようにしたトレイ式引き出し部構造が広く用いられている。
【０００３】
従来、このようなトレイ式引き出し部構造では、カードコネクタ等にトレイが挿入されるトレイ挿入部を備え、そのトレイ挿入部の両側部にバネ材からなる弾性抜け止め片を設け、その弾性抜け止め片がトレイの両側部に形成された係合凹部と互いに係合することによりトレイの抜け出しを防止するようにした所謂ハーフロック式の抜け出し防止機構を備えたものが知られている。
【０００４】
このようなハーフロック式の抜け出し防止機構は、取り出し機構によりトレイに一定以上の引出し方向の力を作用させると係合凹部の内縁部に押圧されて弾性抜け止め片が押し広げられ、それによりトレイのロック状態が解除され、トレイを電子機器より引き出せるようになっている。
【０００５】
一方、取出し機構としては、ハウジングのカード挿抜方向奥側に回動可能に支持された押出アームを備え、プッシュピンで押出しアームの一方の端部を押し込むことにより押出アームを回動させ、アームの他端側でトレイの奥側縁を排出方向に押し出すようにしたものが知られている（例えば、特許文献１を参照）。
【０００６】
また、他の取出し機構としては、ハートカム等を使用したプッシュイン・プッシュアウト機構を備え、最初のカード押し込み動作でトレイをハウジングの所定位置で保持させ、再度押し込むことにより保持力が解除されて押し出しバネにより引き出し方向に押し出されるようにしたものがある（例えば、特許文献２を参照）。
【先行技術文献】
【特許文献】
【０００７】
【特許文献１】特開２００８−１０８６９５号公報
【特許文献２】特開２００３−３１７８６１号公報
【発明の概要】
【発明が解決しようとする課題】
【０００８】
しかしながら、上述の如き従来の電子機器のトレイ式引出し部構造では、ハーフロック方式による抜け出し防止機構を用いた場合、電子機器を落とした際の落下衝撃等により一定以上の引出し方向の力が作用すると意図しない状況でトレイが電子機器より抜け出てしまう虞があった。
【０００９】
また、従来の電子機器のトレイ式引き出し構造では、プッシュピンを使用した取り出し機構を用いた場合、プッシュピン又はその代用品が無いとトレイを電子機器の筐体から引き出すことができず、不便であるという問題があり、更には、プッシュピンを挿入するためのピン挿入孔をトレイの前縁部又は筐体の外側面に開口させる必要があり、電子機器の筐体外面部の美観を損なうという問題、更には当該ピン挿入孔より水滴等が機器内に侵入する虞があった。
【００１０】
更にまた、上述如きプッシュイン・プッシュアウト方式の取り出し機構を用いた場合、ハートカム等の構造を有するため、その分コネクタ全体の外形が大きくなり、コネクタがプリント配線基板に占める面積が大きくなり電子機器の小型化を阻害する虞があり、また、部品点数が多く、複雑な構造のためコストが嵩むという問題があった。
【００１１】
そこで本発明は、このような従来の問題に鑑み、落下衝撃等による不意の抜け出しを確実に防止し、且つ、簡易な構造で容易に引出し可能な電子機器のトレイ式引き出し部構造の提供を目的としてなされたものである。
【課題を解決するための手段】
【００１２】
上述の如き従来の問題を解決し、所期の目的を達成するための請求項1に記載の発明の特徴は、電子機器の筐体外側面部に開口したトレイ挿入口を通して前記電子機器内に引き出し可能に挿入されるトレイを備えてなる電子機器のトレイ式引き出し部構造において、前記トレイは、トレイ本体の引き出し方向端部に移動可能に接合され、所定の挿入位置において前記トレイ挿入口を閉鎖する前縁蓋体を備え、該前縁蓋体に、トレイ厚み方向の片面又は両面より突出した回動軸用突部と、前記所定の挿入位置において前記トレイ挿入口の内縁部に当て止めされて前記前縁蓋体のトレイ幅方向の移動を規制する横移動規制部とを備え、前記トレイ挿入口の内側部に、前記回動軸用突部が回動可能且つ引き出し方向の移動を規制された状態で嵌め込まれる軸受凹部と、該軸受凹部の側部に該軸受凹部と連通配置に形成され、前記筐体外側面側に開口した軸引き出し路とが形成され、前記前縁蓋体の一方の側部を押し込み、前記回動軸用突部を中心に前記前縁蓋体を回動させることにより前記横移動規制部を前記トレイ挿入口内縁部より離脱させ、前記前縁蓋体を軸引き出し路側に移動させて前記回動軸用突部を前記軸引き出し路内に移動させることにより前記トレイを前記所定の挿入位置より引き出せるようにしたことにある。
【００１３】
請求項２に記載の発明の特徴は、請求項１の構成に加え、前記前縁蓋体は、一方の側部に前記所定の挿入位置において前記トレイ挿入口縁部と互いに係合するロック片を備え、前記前縁蓋体の引き出し方向の移動及び前記回動とは逆方向の回動を規制するようにしたことにある。
【００１４】
請求項３に記載の発明の特徴は、請求項１又は２の構成に加え、前記横移動規制部は、前記トレイ挿入口の内縁部と互いに係合する係止突部を備えたことにある。
【００１５】
請求項４に記載の発明の特徴は、請求項１、２又は３の構成に加え、前記トレイ本体の接合端部に他方側に向けて開口した接合凹部を備えるとともに、前記前縁蓋体の接合端部に前記接合凹部内に挿入される接合凸部を備え、前記接合凹部の互いに対向する内側面間に架け渡した状態に棒状の接合軸材を支持させ、前記接合凸部に形成されたトレイ挿抜方向に向けた長孔状の移動用中空部に前記接合軸材を挿入し、前記前縁蓋体をトレイ本体に移動可能に接合させてなることにある。
【００１６】
請求項５に記載の発明特徴は、請求項１〜３又は４の構成に加え、前記トレイ本体に反力を取って前記前縁蓋体を軸引き出し路側に付勢する付勢手段を備えたことにある。
【００１７】
請求項６に記載の発明の特徴は、請求項５の構成に加え、前記前縁蓋体に前記付勢手段の一端が当接される受け面部を備え、該受け面部が前記回動方向側に傾けた形状に形成されてなることにある。
【発明の効果】
【００１８】
本発明に係る電子機器のトレイ式引き出し部構造は、上述したように、電子機器の筐体外側面部に開口したトレイ挿入口を通して前記電子機器内に引き出し可能に挿入されるトレイを備えてなる電子機器のトレイ式引き出し部構造において、前記トレイは、トレイ本体の引き出し方向端部に移動可能に接合され、所定の挿入位置において前記トレイ挿入口を閉鎖する前縁蓋体を備え、該前縁蓋体に、トレイ厚み方向の片面又は両面より突出した回動軸用突部と、前記所定の挿入位置において前記トレイ挿入口の内縁部に当て止めされて前記前縁蓋体のトレイ幅方向の移動を規制する横移動規制部とを備え、前記トレイ挿入口の内側部に、前記回動軸用突部が回動可能且つ引き出し方向の移動を規制された状態で嵌め込まれる軸受凹部と、該軸受凹部の側部に該軸受凹部と連通配置に形成され、前記筐体外側面側に開口した軸引き出し路とが形成され、前記前縁蓋体の一方の側部を押し込み、前記回動軸用突部を中心に前記前縁蓋体を回動させることにより前記横移動規制部を前記トレイ挿入口内縁部より離脱させ、前記前縁蓋体を軸引き出し路側に移動させて前記回動軸用突部を前記軸引き出し路内に移動させることにより前記トレイを前記所定の挿入位置より引き出せるようにしたことにより、トレイの落下衝撃等による不意の抜け出しを防止することができるとともに、取出し用ピン等を必要としないのでトレイの前縁部や電子機器筐体の外側面部に穴を設ける必要がなく、電子機器外面部の外観を見栄え良くすることができ、また、防水仕様にも対応可能となる。
【００１９】
また、本発明において、前記前縁蓋体は、一方の側部に前記所定の挿入位置において前記トレイ挿入口縁部と互いに係合するロック片を備え、前記前縁蓋体の引き出し方向の移動及び前記回動とは逆方向の回動を規制するようにしたことにより、より確実にトレイの抜け出しを防止することができる。
【００２０】
更に本発明において、前記横移動規制部は、前記トレイ挿入口の内縁部と互いに係合する係止突部を備えたことにより、前縁蓋体の回動を防止することができる。
【００２１】
更にまた、本発明において、前記トレイ本体の接合端部に他方側に向けて開口した接合凹部を備えるとともに、前記前縁蓋体の接合端部に前記接合凹部内に挿入される接合凸部を備え、前記接合凹部の互いに対向する内側面間に架け渡した状態に棒状の接合軸材を支持させ、前記接合凸部に形成されたトレイ挿抜方向に向けた長孔状の移動用中空部に前記接合軸材を挿入し、前記前縁蓋体をトレイ本体に移動可能に接合させてなることにより、前縁蓋体の回動動作を可能とし、且つ、小型のトレイであっても前縁蓋体を摘まんで好適に引き出すことができる。
【００２２】
また、本発明において、前記トレイ本体に反力を取って前記前縁蓋体を軸引き出し路側に付勢する付勢手段を備えたことにより、トレイの引き出し操作を円滑に行うことができるとともに、トレイを挿入した状態にあっては横移動規制部を当て止め側に付勢するので、確実な係合状態を維持することができる。
【００２３】
更に、また、前記前縁蓋体に前記付勢手段の一端が当接される受け面部を備え、該受け面部が前記回動方向側に傾けた形状に形成されてなることにより、トレイの引き出し操作を円滑に行うことができる。
【図面の簡単な説明】
【００２４】
【図１】本発明に係る電子機器のトレイ式引き出し部構造を備えた電子機器の一例を示す斜視図である。
【図２】同上のトレイ引き出し部構造部分を示す縦断面図である。
【図３】図２中のＡ−Ａ線矢視図である。
【図４】（ａ）は図１中のトレイ挿入口部分を示す正面図、（ｂ）は同背面図である。
【図５】(ａ)は図４中のＢ−Ｂ線矢視図、（ｂ）は同Ｃ−Ｃ線矢視図、（ｃ）は同縦断面図である。
【図６】図１中のトレイを示す平面図である。
【図７】同上の同底面図である。
【図８】（ａ）は同上の前縁蓋体を示す平面図、（ｂ）は同底面図、（ｃ）は同背面図、（ｄ）は同正面図である。
【図９】(ａ)は同上の側面図、（ｂ）は同縦断面図である。
【図１０】（ａ）（ｂ）は同上のトレイ引き出し操作時の前縁蓋体部分を示す部分拡大平面図である。
【図１１】（ｃ）（ｄ）は同上のトレイ引き出し操作時の前縁蓋体部分を示す部分拡大平面図である。
【図１２】（ｅ）（ｆ）は同上のトレイ挿入操作時の前縁蓋体部分を示す部分拡大平面図である。
【図１３】（ｇ）（ｈ）は同上のトレイ挿入操作時の前縁蓋体部分を示す部分拡大平面図である。
【発明を実施するための形態】
【００２５】
次に、本発明に係る電子機器のトレイ式引き出し部構造の実施の態様を図１〜図１３に示した実施例に基づいて説明する。尚、図中符号１はスマートフォン等の電子機器である。
【００２６】
電子機器１には、図１に示すように、電子機器１筐体外側面部に開口したトレイ挿入口２と、トレイ挿入口２より電子機器１内に引き出し可能に挿入されるトレイ３とを備えてなるトレイ式引き出し部構造を有し、トレイ３を使用して電子機器１内にＩＣカードやメモリーカード等の外部記憶媒体が出し入れできるようになっている。
【００２７】
また、この電子機器１内には、このトレイ挿入口２と連続配置にカードコネクタ４を備え、カードを収容した状態のトレイ３がトレイ挿入口２を通してカードコネクタ４に挿入されることにより、トレイ３に収容されたカードがカードコネクタ４を介して電子機器１に搭載されたプリント配線基板５に接続されるようになっている。
【００２８】
カードコネクタ４は、トレイ３が挿入されるトレイ挿入部６を有するハウジング７と、トレイ挿入部６内に突出してトレイ３に収容されたカードの信号端子と接触する複数のコンタクト８，８...、９，９...とを備え、トレイ３をトレイ挿入部６に挿入することによりトレイ３に収容されたカードの信号端子が対応するコンタクト８，８...、９，９...と弾性的に接触し、カードとプリント配線基板５とがコンタクト８，８...又はコンタクト９，９...を介して電気的に接続されるようになっている。
【００２９】
トレイ挿入口２は、図４、図５に示すように、電子機器１の筐体を構成する側板１ａにその厚み方向で貫通した横長孔状に形成され、トレイ挿入口２の外側開口部２ａにトレイ３の前縁蓋体２０が嵌り込み、トレイ挿入口２を閉鎖するようになっている。  
【００３０】
また、トレイ挿入口２の上下内側部には、互いに対向する上下のガイド部１０，１１が側板１ａの内側面より一部がトレイ挿入方向に向けて突出した形状に一体に形成され、両ガイド部１０，１１間にトレイ３が通されるようになっている。
【００３１】
上下ガイド部１０，１１は、それぞれトレイ挿入口２の内側に突出した突出部１０ａ，１１ａを備え、この突出部１０ａ，１１ａの前面部が外側開口縁部２ａの底面を形成している。
【００３２】
上ガイド部１０には、前縁蓋体２０に備えられた回動軸用突部２１が回転可能に嵌り込む軸受凹部１２と、軸受凹部１２の側部に形成された軸引き出し路１３とを備え、軸受凹部１２に回動軸用突部２１が回転可能に嵌め込まれることにより、回動軸用突部２１が当て止めされて前縁蓋体２０の引き出し方向の移動が規制されるようになっている。
【００３３】
軸受凹部１２は、図５（ａ）に示すように、上ガイド部１０の突出部１０ａ中央のトレイ挿抜方向奥側部に切欠き状に形成され、軸受凹部１２の内側面１２ａ，１２ｂが回動軸用突部２１の外側面に当接した状態で回動軸用突部２１を回転可能に支持するようになっている。
【００３４】
また、回動軸用突部２１が軸受凹部１２に回転可能に嵌め込まれた状態にあっては、軸受凹部１２の引出側内面１２ａに回動軸用突部２１が当て止めされ、前縁蓋体２０の引き出し方向の移動が規制されるようになっている。
【００３５】
また、上ガイド部１０のトレイ挿抜方向手前側面部には、トレイ幅方向の軸引き出し路１３とは反対側であってトレイ挿抜方向奥側に向けて傾斜した誘導傾斜面部１４が形成されている。
【００３６】
一方、軸引き出し路１３は、下側及びトレイ挿抜方向両端に開口した凹溝状に形成され、且つ、トレイ挿抜方向奥側部が軸受凹部１２と連通し、前縁蓋体２０のトレイ幅方向の移動に伴って回動軸用突部２１が軸受凹部１２と軸引き出し路１３との間を移動できるようになっている。
【００３７】
また、トレイ挿入口２の一方の側部には、前縁蓋体２０に形成された横移動規制部２２が嵌り込むハーフロック用係合部１５が形成され、このハーフロック用係合部１５の内縁部、即ちトレイ挿入口２の内側縁部２ｂに横移動規制部２２が当て止めされて前縁蓋体２０のトレイ幅方向軸引き出し路１３側への移動が規制されるようになっている。
【００３８】
トレイ３は、図６、図７に示すように、カードが収容される平板状のトレイ本体２３と、トレイ本体２３のトレイ挿抜方向手前側端部に配置された前縁蓋体２０とを備え、この前縁蓋体２０がトレイ本体２３に対し移動可能に接合されている。
【００３９】
また、トレイ３には、所定の引き出し位置で前縁蓋体２０に作用するトレイ挿抜方向の力をトレイ本体２３に伝達する伝達手段を備え、前縁蓋体２０を摘まんでトレイ３を電子機器１の筐体より引き出すことができるようになっている。
【００４０】
トレイ本体２３は、絶縁性合成樹脂材をもって平板状に形成され、その片面部にカードが収容されるカード収容部２４，２５が形成されている。
【００４１】
各カード収容部２４，２５は、カードの外形状に合わせてトレイ本体２３の片面部を凹ませた形状に形成され、カードが信号端子側面を開口側に向けて収容されるようになっている。
【００４２】
また、トレイ本体２３の側面部には、トレイ挿入部６の両側部に配置された弾性抜け止め片２６，２６と互いに係合する係合凹部２７，２７が形成され、この係合凹部２７，２７に弾性抜け止め片２６の係合突起２６ａが係合することにより、図３に示すように、トレイ本体２３がハウジング７に所謂ハーフロックされ、トレイ３に一定以上の引出し方向の力を作用させると係合凹部２７，２７の内縁部に押圧されて弾性抜け止め片２６，２６が押し広げられ、それによりトレイ３のロック状態が解除されるようになっている。
【００４３】
一方、トレイ本体２３のトレイ引き出し方向端部、即ち、前縁蓋体２０との接合端部には、前縁蓋体２０側に向けて開口した接合凹部２８を備え、この接合凹部２８内に前縁蓋体２０に備えられた接合凸部２９が挿入されるようになっている。
【００４４】
接合凹部２８は、トレイ本体２３のトレイ挿抜方向側端部にトレイ幅方向に間隔を置いて形成された一対の支持部３０ａ，３０ｂを有することにより矩形切欠き状に形成され、前縁蓋体２０側で且つ本体厚み側に開口している。
【００４５】
両支持部３０ａ，３０ｂは、トレイ本体２３の他の部分の板厚に比して厚い形状に形成され、トレイ３をハウジング７に挿入した際に、支持部３０ａ，３０ｂのトレイ挿抜方向側端面がハウジング７の端面に当て止めされるようになっている。
【００４６】
また、支持部３０ａは、支持部３０ｂに比べてトレイ挿抜方向長さが短く形成され、後述する蓋本体３３との間に回動を許容するための間隙が形成されるようになっている。
【００４７】
更に、この接合凹部２８には、両支持部３０ａ，３０ｂに両端を支持させた棒状の接合軸材３１が接合凹部２８の互いに対向する内側面間に架け渡した配置に備えられ、この接合軸材３１が接合凸部２９に形成された移動用中空部３２に挿入されるようになっている。
【００４８】
前縁蓋体２０は、図８、図９に示すように、絶縁性合成樹脂材をもって形成され、接合凹部２８内に挿入される接合凸部２９と、接合凸部２９の引き出し方向側端部に配置された蓋本体３３とを一体に備えている。
【００４９】
また、前縁蓋体２０には、トレイ厚み方向側の片面（上面部）より突出したトレイ厚み方向に軸心方向を向けた回動軸用突部２１と、トレイ挿入口２の内縁部に当て止めされる横移動規制部２２を一体に備えている。
【００５０】
接合凸部２９は、厚みが支持部３０ａ，３０ｂより薄い平板状に形成され、その幅が接合凹部２８の幅、即ち支持部３０ａ，３０ｂ間距離よりも短く形成されている。
【００５１】
この接合凸部２９には、トレイ幅方向両端面に開口したトレイ挿抜方向に長い長孔状の移動用中空部３２が形成され、この移動用中空部３２内に接合軸材３１が挿入されることにより、トレイ本体２３に対し前縁蓋体２０が移動可能な状態、即ち、トレイ本体２３に対し水平方向で回動可能、トレイ挿抜方向でスライド移動可能且つトレイ幅方向でスライド移動可能な状態に接合される。
【００５２】
この移動用中空部３２は、図８（ｂ）、図９（ａ）に示すように、内側部に両端開口部よりトレイ厚み方向の幅が狭い縮幅部３２ａを有し、この縮幅部３２ａの支持部３０ａ側の端部にコイルスプリング等の付勢手段３４の一端が当接される受け面部３５が形成され、付勢手段３４の他端を支持部３０ａの内側面に当接させ、支持部３０ａに反力を取って受け面部３５を押圧することにより、前縁蓋体２０を支持部３０ｂ側に付勢するようになっている。
【００５３】
この受け面部３５は、回動方向側に傾けた形状、即ち、トレイ挿抜方向奥側から手前中央側に向けて傾斜した形状に形成されている。
【００５４】
付勢手段３４は、コイルスプリングをもって構成され、支持部３０ａと接合凸部２９との間に配置され、内側に接合軸材３１を通した状態で一端が支持部３０ａの内側面に当接し、他端が受け面部３５に当接し、支持部３０ａに反力を取って前縁蓋体２０を他方の支持部３０ｂ側に付勢するようになっている。
【００５５】
一方、支持部３０ｂと接合凸部２９との間には、コイルスプリング部３６ａと、コイルスプリング部３６ａの先端部に一体に支持させた移動用中空部３２内に挿入されるへの字状の押し込みバネ部３６ｂとからなる位置調整バネ材３６が備えられ、コイルスプリング部３６ａに支持された押し込みバネ部３６ｂが移動用中空部３２の奥側内縁部３２ｂを押圧することにより、前縁蓋体２０をトレイ本体２３側に付勢するようになっている。
【００５６】
蓋本体３３は、接合凸部２９の引き出し方向側端部と一体に形成されたトレイ幅方向に長い細長四角柱状に形成され、トレイ３を電子機器１に挿入した際に、この蓋本体３３の表面部がトレイ挿入口２の外側開口縁部２ａに嵌り込み、トレイ挿入口２を閉鎖して電子機器１筐体の外側面を構成するようになっている。
【００５７】
この蓋本体３３は、上面部及び下面部のトレイ挿抜方向奥側に中央部から一方の側部に亘ってトレイ厚み方向に凹んだ形状の嵌合凹部３７，３８が形成され、この嵌合凹部３７，３８内にトレイ挿入口２の内側部に形成されたガイド部１０，１１の突出部１０ａ，１１ａがそれぞれ嵌り込むようになっている。
【００５８】
この上面部側の嵌合凹部３７には、前縁蓋体２０の中央に位置するように、底面より突出し、軸心をトレイ厚み方向に向けた円柱状の回動軸用突部２１が形成されている。
【００５９】
この回動軸用突部２１の嵌合凹部３７底面からの突出高さは、蓋本体３３のトレイ厚み方向端面より突出しない高さとし、トレイ３の挿抜動作時に軸引き出し路１３内をトレイ挿抜方向で移動可能で且つ軸受凹部１２内に嵌り込んだ際には、外周面が軸受凹部１２の内側面１２ａに当て止めされるようになっている。
【００６０】
また、蓋本体３３には、一方の端部にトレイ挿入口２の内縁部に当て止めされる横移動規制部２２が一体に形成され、他方の端部に側板１ａ内側のトレイ挿入口２の内側開口縁部と係合するロック片３９，３９が一体に形成されている。
【００６１】
横移動規制部２２は、ハーフロック用係合部１５に嵌り込む形状に形成され、そのトレイ挿抜方向奥側に蓋本体３３のトレイ幅方向外側に向けた当接面部４１を備え、この当接面部４１がトレイ挿入口２の内側縁２ｂに当て止めされることにより前縁蓋体２０のトレイ幅方向の移動が規制されるようになっている。
【００６２】
また、横移動規制部２２には、当接面部４１より外側に向けて突出した係止突部４２を備え、この係止突部４２がトレイ挿入口２のトレイ挿抜方向奥側開口縁部と互いに係合するようになっている。
【００６３】
係止突部４２は、トレイ引き出し方向及びトレイ挿入方向に向けてそれぞれ傾斜した傾斜面部４２ａ，４２ｂを備えた平面視山形状に形成され、トレイ引き出し方向及びトレイ挿入方向で一定以上の力を作用させることによりトレイ挿入口２のトレイ挿抜方向奥側開口縁部に対し着脱できるようになっている。
【００６４】
一方、ロック片３９は、蓋本体３３の一方の側端奥側面よりトレイ挿抜方向奥側に向けて突設され、蓋本体３３の側端面より外側に張り出した係止面部３９ａを有し、この係止面部３９ａがトレイ挿入口２の開口縁部２ｃ内側部と係合し、前縁蓋体２０の引き出し方向の移動及び前記回動とは逆方向の回動を規制するようになっている。
【００６５】
このように構成された電子機器のトレイ式引き出し部構造では、所定の挿入位置、即ち、トレイ本体２３がカードコネクタ４を構成するハウジング７内に確実に挿入され、収容されたカードと対応するコンタクト８，８...又は９，９...が接触する位置において、図１０（ａ）に示すように、トレイ挿入口２の外側開口部が蓋本体３３により閉鎖されている。
【００６６】
この状態においては、回動軸用突部２１が軸受凹部１２内に嵌り込むとともに、ロック片３９、３９がトレイ挿入口２の開口縁部２ｃ内側部と互いに係合しており、また、横移動規制部２２の当接面部４１がトレイ挿入口２の内縁部２ｂに当て止めされて前縁蓋体２０のトレイ幅方向の移動が規制されているので、回動軸用突部２１及びロック片３９による引き出し方向の移動規制が解除不能な状態にあり、トレイ３に引き出し方向の力が作用しても移動不能な状態、所謂フルロック状態にある。
【００６７】
また、前縁蓋体２０は、係止突部４２がトレイ挿入口内縁２ｂ部分と係合し、且つ、付勢手段３４による付勢力により当接面部４１がトレイ挿入口２の内側縁部２ｂ側に押し当てられた状態にあるので、容易には回動しないようになっている。
【００６８】
この様なフルロック状態を解除するには、まず、図１０（ｂ）に示すように、蓋本体３３のロック片３９側の側部表面を一定以上の力をもって押し込み方向に押圧し、前縁蓋体２０に軸受凹部１２に嵌め込まれた回動軸用突部２１を中心とした回転力を作用させる。
【００６９】
この回転力により、横移動規制部２２の係止突部４２とトレイ挿入口内縁２ｂ部分との係合状態が解除され、横移動規制部２２がハーフロック用係合部１５、即ちトレイ挿入口２内縁より離脱する。
【００７０】
これにより、前縁蓋体２０は、トレイ幅方向の移動が可能となり、図１１（ｃ）に示すように、付勢手段３４により付勢されて軸引き出し路１３側に向けて移動し、それに伴い回動軸用突部２１も軸引き出し路１３内に移動するとともに、ロック片３９，３９がトレイ挿入口２の内側に位置するようになり、フルロック状態が解除され、トレイ３が引き出し可能となる。
【００７１】
そして、前縁蓋体２０を摘まみ引き出し力を作用させると、伝達手段を構成する移動用中空部３２のトレイ挿抜方向端部内縁３２ｂが接合軸材３１と当接して接合軸材３１をトレイ引き出し方向に向けて押圧し、それにより接合軸材３１を介してトレイ本体２３に前縁蓋体２０に作用するトレイ挿抜方向の力が伝達される。
【００７２】
この状態で前縁蓋体２０を指で摘まんで一定以上の引き出し力、即ち、トレイ本体２３とハウジング７に対する保持力を上回る力を作用させると、弾性抜け止め片２６，２６が弾性変形して保持力が解除され、トレイ本体２３をプッシュピン等を使用せずに容易にハウジング７及び電子機器１１より引き出すことができる。
【００７３】
次に、トレイ３を電子機器１内に挿入する手順について説明する。
【００７４】
引き出した状態にあるトレイ３では、図１２（ｅ）に示すように、トレイ本体２３に対し、前縁蓋体２０は支持部３０ｂ側に付勢された状態にあり、トレイ３の挿入に際し、回動軸用突部２１の位置は、軸引き出し路１３の延長線上に位置し、ロック片３９の位置はトレイ挿入口２の一方の端部より内側に位置している。
【００７５】
その状態でトレイ３の蓋本体３３表面を押圧してトレイ３をトレイ挿入口２に挿入すると、トレイ本体２３が上下両ガイド部１０，１１にガイドされつつハウジング７のトレイ挿入部６内に挿入され、更に押し込むと、図１２（ｅ）〜（ｆ）に示すように、横移動規制部２２の係止突部４２の先端がハーフロック係合部１５の底面１５ａに接触するとともに、誘導傾斜面部１４に嵌合凹部３７の内側面が当接し、嵌合凹部３７の内側面が誘導傾斜面部１４に誘導されることにより、前縁蓋体２０が傾き、回動軸用突部２１が軸引き出し路１３内を奥側まで移動するとともに、ロック片３９が側板１ａの奥側まで移動する。
【００７６】
そして、この状態で前縁蓋体２０（蓋本体３３）の横移動規制部２２側の端部を付勢手段３４に抗して押圧し、前縁蓋体２０をトレイ幅方向の軸受凹部１２側に移動させると、回動軸用突部２１が軸受凹部１２に嵌り込み、回動軸用突部２１が軸受凹部１２の内側面１２ａに当て止めされる。
【００７７】
更にその状態から、図１３（ｇ）に示すように、前縁蓋体２０の蓋本体３３の横移動規制部２２側の表面を押し込み方向に押圧し、回動軸用突部２１を中心に前縁蓋体２０を回動させ、横移動規制部２２をハーフロック用係合部１５に嵌め込み、係止突部４２を開口縁部２ｂに係合させる。
【００７８】
それにより、回動軸用突部２１が軸受凹部１２内に嵌り込むとともに、ロック片３９，３９がトレイ挿入口２の開口縁部２ｃ内側部と互いに係合し、また、横移動規制部２２の当接面部４１がトレイ挿入口２の内縁部２ｂに当て止めされて前縁蓋体２０のトレイ幅方向の移動が規制されるので、回動軸用突部２１及びロック片３９のロック状態が解除不能な状態になり、トレイ３に引き出し方向の力が作用しても移動不能な状態、所謂フルロック状態となり挿入作業が完了する。
【００７９】
尚、上述の実施例では、電子機器としてスマートフォン等の携帯電子機器を例に説明したが、ＤＶＤプレーヤー等のその他のトレイ式引出し部構造を有する電子機器に対応させることができる。
【符号の説明】
【００８０】
１  電子機器
２  トレイ挿入口
３  トレイ
４  カードコネクタ
５  プリント配線基板
６  トレイ挿入部
７  ハウジング
８，９  コンタクト
１０，１１  ガイド部
１２  軸受凹部
１３  軸引き出し路
１４  誘導傾斜面部
１５  ハーフロック用係合部
２０  前縁蓋体
２１  回動軸用突部
２２  横移動規制部
２３  トレイ本体
２４，２５  カード収容部
２６  弾性抜け止片
２７  係合凹部
２８  接合凹部
２９  接合凸部
３０  支持部
３１  接合軸材
３２  移動用中空部
３３  蓋本体
３４  付勢手段（コイルスプリング）
３５  受け面部
３６  位置調整バネ材
３７，３８  嵌合凹部
３９  ロック片
４０  表面部
４１  当接面部
４２  係止突部
【図１】
2014007094.tif 000003
【図２】
2014007094.tif 000004
【図３】
2014007094.tif 000005
【図４】
2014007094.tif 000006
【図５】
2014007094.tif 000007
【図６】
2014007094.tif 000008
【図７】
2014007094.tif 000009
【図８】
2014007094.tif 000010
【図９】
2014007094.tif 000011
【図１０】
2014007094.tif 000012
【図１１】
2014007094.tif 000013
【図１２】
2014007094.tif 000014
【図１３】
2014007094.tif 000015